(57)【特許請求の範囲】
【請求項１】
操作部材の押し込み力を、ロック部材のアンロック運動に変換すべく、前記操作部材に設けられた押圧部と対向接合する傾斜カム面を前記ロック部材が備えた開閉体のロック装置であって、
前記ロック部材は、互いに逆方向へ移動する２つのものからなり、
前記操作部材は、前記ロック部材の移動方向に沿って延在し、
前記押圧部は、前記操作部材の延在方向における両端部にそれぞれ設けられ、
前記傾斜カム面は、前記２つのロック部材のそれぞれにおいて、前記押圧部のそれぞれに対応するように複数箇所に設けられ、
前記２つのロック部材の前記複数の傾斜カム面が設けられた部分同士が、相対移動可能に隣接配置されることを特徴とする開閉体のロック装置。
【発明の詳細な説明】
【技術分野】
【０００１】
本発明は、ウイング式に或いはスライド式に移動して物品収納室の開口を開閉する開閉体のロック装置に関するものである。
【背景技術】
【０００２】
ウイング式に或いはスライド式に移動して物品収納室の開口を開閉する開閉体の閉鎖位置を保持するためのロック装置として、ケーシングの左右両側端面から出没自在なようにケーシング内に設けられた一対のロックピンと、両ロックピンの出没方向と略直交する方向へ移動自在にケーシングに取り付けられた操作部材とを備えると共に、両ロックピンと操作部材との間に互いに対面接合する傾斜カム面が形成され、操作部材を押し込むと、傾斜カム面の接合関係によって一対のロックピンが没入方向へ同時に移動させられるように構成されたものが知られている（特許文献１を参照されたい）。
【０００３】
他方、自動車のインストルメントパネルに設けられるグローブボックスのような幅の広い物品収納室のリッドの場合、リッドの中央部のみをロックするよりも、幅方向についての両側部をロックする方が安定する。また、意匠についての都合から、操作部材の長さ寸法を大きくしたい要望のある場合があるが、使用性の上からは、操作部材の長手方向のどこを押してもロックが解除されるように構成することが好ましい。
【特許文献１】特開２００４−３２４２０１号公報
【発明の開示】
【発明が解決しようとする課題】
【０００４】
しかるに、操作部材の長さ寸法を大きくすればするほど、押し込み力が偏っても真っ直ぐに操作部材が動くように構成することは困難であり、例えば、操作部材の長手方向の片側のみを押すと、その押された側だけが没入し、片側のロック部材のみしかアンロックされない、といった解除不良の発生するおそれがある。
【０００５】
本発明は、このような不都合を解消すべく案出されたものであり、その主な目的は、複数のロック部材同士の間隔を広くとり、操作部材の長手方向寸法をも大きくした場合にも、複数のロック部材が確実に同期して解除運動がなされるように構成された開閉体のロック装置を提供することにある。
【課題を解決するための手段】
【０００６】
このような課題を解決するため、本発明は、操作部材（４）の押し込み力を、ロック部材（３ａ，３ｂ）のアンロック運動に変換すべく、前記操作部材に設けられた押圧部（１７ａ，１７ｂ）と対向接合する傾斜カム面（１２ａ・１２ｂ・１２ｃ・１２ｄ）を前記ロック部材が備えた開閉体のロック装置であって、前記ロック部材は、互いに逆方向へ移動する２つのものからなり、前記操作部材は、前記ロック部材の移動方向に沿って延在し、前記押圧部は、前記操作部材の延在方向における両端部にそれぞれ設けられ、前記傾斜カム面は、前記２つのロック部材のそれぞれにおいて、前記押圧部のそれぞれに対応するように複数箇所に設けられ、前記２つのロック部材の前記複数の傾斜カム面が設けられた部分同士が、相対移動可能に隣接配置されることを特徴とする。
【発明の効果】
【０００７】
このように構成した本発明によれば、２つのロック部材における押釦の両端部に対応する位置のそれぞれに傾斜カム面を設けるものとしたので、押釦を片押ししても、例えば押釦の長手方向の両端部に設けた押圧部のいずれか一方がそれに対応する傾斜カム面に接合する。これにより、２つのロック部材が必ず同期移動することとなる。従って、リンクなどの格別な同期機構が不要なので、構造の複雑化を招かずにアンロック動作の確実化を実現する上に大きな効果を奏することができる。
【発明を実施するための最良の形態】
【０００８】
以下に添付の図面を参照して本発明について詳細に説明する。
【０００９】
図１は、本発明が適用された開閉体のロック装置の単体図である。このロック装置１は、例えば自動車のグローブボックスのようなウイング式に開閉運動を行うリッドの揺動側の端部や、スライド式ドアの戸当たり側の端部に設けられるものであり、開閉体側に固着される両端が開放された概ね角筒状をなすケーシング２と、ケーシング２内に互いに逆方向へ摺動自在に装着された２つのロック部材３ａ・３ｂと、ケーシング２の中央部に、両ロック部材３ａ・３ｂの摺動方向に直交する向きに移動自在に設けられた押釦４とからなっている。これらの各部材は、例えば合成樹脂材の射出成形によって形成されている。
【００１０】
２つのロック部材３ａ・３ｂは、図２に示すように、互いに対称形をなしており、ケーシング２の側端開放面から突出するロック爪５ａ・５ｂと、ケーシング２の中央部で互いに対向摺接するように隣接配置された駆動部６ａ・６ｂと、ロック爪５ａ・５ｂと駆動部６ａ・６ｂとを相互に連結する連結部７ａ・７ｂとからなっている。これらのうち、ロック爪５ａ・５ｂは、リッドが閉鎖する物品収納室の開口部、或いはスライドドアのガイドレールなど、固定体Ｆに設けられた孔８ａ・８ｂに係合するように、適宜な形状に形成されるものであり、連結部７ａ・７ｂは、リッド或いはドアの幅に対応するように適宜な長さに設定されるものである。
【００１１】
本発明の本質に関わる部分は、主として駆動部６ａ・６ｂである。以下に駆動部６ａ・６ｂについて図３、４を併せて参照して詳しく説明する。
【００１２】
駆動部６ａ・６ｂは、それぞれが上面視コ字形をなす戻しばね力作用部１１ａ・１１ｂと、この戻しばね力作用部１１ａ・１１ｂの両側に形成された傾斜カム面１２ａ・１２ｂ・１２ｃ・１２ｄとからなっており、両戻しばね力作用部１１ａ・１１ｂが互いに整合する位置から所定範囲を相対移動可能なように、２つのロック部材３ａ・３ｂの駆動部６ａ・６ｂが摺動接合されている。なお、２つのロック部材３ａ・３ｂは、ケーシング２との間に設けられた互いに衝当するストッパ突起１３ａ・１３ｂ・１４ａ・１４ｂにより、その突出位置が規定されると共にケーシング２からの抜け止めがなされている。
【００１３】
傾斜カム面１２ａ・１２ｂ・１２ｃ・１２ｄは、両ロック部材３ａ・３ｂ共に、戻しばね力作用部１１ａ・１１ｂを挟んで長手方向の両側に設けられており、各々の２つのカム面同士の傾斜の向きが等しくされ、且つ各ロック部材３ａ・３ｂ同士のカム面の傾斜の向きは互いに逆向きにされている（１２ａ＝１２ｂ）≠（１２ｃ＝１２ｄ）。
【００１４】
両ロック部材３ａ・３ｂの戻しばね力作用部１１ａ・１１ｂの側壁の各一方の内面に個々にばね力を作用させる板ばね１５ａ・１５ｂが、ケーシング２の中央部の底面に固着されている。この板ばね１５ａ・１５ｂにより、２つのロック部材３ａ・３ｂが共にそのロック爪５ａ・５ｂをケーシング２から突出させる向きに常時弾発付勢されている。
【００１５】
ケーシング２の上壁の中央部に設けられたガイド開口１６には、横長の押釦４が上下に変位可能に装着されている。この押釦４は、図には明示されていないが、適宜な手段をもって上方への抜け止めがなされている。
【００１６】
押釦４の左右両端部の下面には、下方へ向けて延出された凸部１７ａ・１７ｂが設けられ、中央部の下面には、ガイドロッド１８が垂設され、ケーシング２の上壁と押釦４の内面との間には、ガイドロッド１８に巻装された圧縮コイルばね１９が縮設されている。これにより、押釦４は上向きに常時弾発付勢されている。
【００１７】
２つのロック部材３ａ・３ｂの駆動部６ａ・６ｂが互いに対向して各一対の傾斜カム面同士が交差すると、一対の傾斜カム面同士の傾斜の向きが互いに逆向きとなっていることにより、これらの部分が正面視Ｖ字状になっている。そして、これらのＶ字状部分の底部に、押釦４の左右両端部の下面に垂設された一対の凸部１７ａ・１７ｂの各先端が当接している。
【００１８】
次に本発明装置の作動要領について説明する。
【００１９】
押釦４を押し下げると、２つのロック部材３ａ・３ｂのそれぞれに設けられた２組みの傾斜カム面（１２ａ・１２ｃ）、（１２ｂ・１２ｄ）のそれぞれに当接した一対の凸部１７ａ・１７ｂの各先端に作用する下向き力による水平分力が両傾斜カム面（１２ａ・１２ｃ）、（１２ｂ・１２ｄ）に作用し、２つのロック部材３ａ・３ｂが共にケーシング２内へ向けて引き込まれる。
【００２０】
ここで一対の凸部１７ａ・１７ｂが押釦４の両端部に垂設されているので、どちらか一方のみの下向き移動により、それに当接した傾斜カム面（１２ａ・１２ｃ）、（１２ｂ・１２ｄ）が押し出され、２つのロック部材３ａ・３ｂが共に内向きに摺動することとなる。つまり、本構造により、押釦４に作用する操作力が長手方向の一方に偏って押釦４が傾いたとしても、２つのロック部材３ａ・３ｂは必ず同期して等量だけ内向きに移動するので、ロック解除が確実に行われることとなる。なお、本発明装置は、長手方向の向きを垂直・水平いずれの向きにしても使用可能であることは言うまでもない。
【産業上の利用可能性】
【００２１】
本発明に係る開閉体のロック装置は、自動車のグローブボックスやコンソールのリッド、ウイングドア、スライドドアなど、あらゆる開閉体を閉鎖位置に保持するためのロック装置として広汎に適用できる。
【図面の簡単な説明】
【００２２】
【図１】本発明装置を全体斜視図である。
【図２】本発明装置のロック部材のみの分解斜視図である。
【図３】本発明装置のロック状態を示す縦断面図である。
【図４】本発明装置のアンロック状態を示す縦断面図である。
【符号の説明】
【００２３】
１  ロック装置
２  ケーシング
３ａ・３ｂ  ロック部材
４  押釦
１１  戻しバネ力作用部
１２ａ・１２ｂ  傾斜カム面
１７ａ・１７ｂ  凸部
【図１】
0004594192.tif 000002
【図２】
0004594192.tif 000003
【図３】
0004594192.tif 000004
【図４】
0004594192.tif 000005